(57)【要約】【課題】    相異なる電圧の電気を供給する複数のスイッチング電源部が備えてなるスイッチング電源装置において、前記複数のスイッチング電源部の少なくとも一つが予め設定した範囲を超えた電圧又は／及び電流の電気を供給すると、前記複数のスイッチング電源部の全てが電気の供給を同時に停止することを目的とする。【解決手段】    スイッチング電源部３，４，５の供給側にそれぞれ、予め設定した範囲を超えた電圧又は／及び電流の電気を異常と検出する異常検出部１１，１７，２３を備え、それらの後段に異常な電気の供給を判定する異常判定部６を接続し、異常判定部６が異常検出部１１，１７，２３の少なくとも一つから異常検出信号を受け取ると、スイッチング機能停止のための制御信号を同時にスイッチング電源部３，４，５の制御部９，１５，２１に送るように構成した。【選択図】  図１
2009065807.tif 000002
【特許請求の範囲】
【請求項１】
一次側電力入力部と、その一次側電力入力部にそれぞれ接続されて電力の供給を受け、スイッチング作用によって相異なる予め設定した電圧の電気を供給し、且つ、その供給する電気の電圧又は／及び電流が予め設定した範囲を超えて異常である場合にそのことを検出する異常検出部がそれぞれ備えられた複数のスイッチング電源部を有してなるスイッチング電源装置において、
上記複数のスイッチング電源部の異常検出部の少なくとも一つが、供給すべき電気の電圧又は／及び電流が予め設定した範囲を超えて異常であることが検出されると、その検出結果を受け取って、上記複数のスイッチング電源部の全てに電気の供給を停止するための制御信号を同時に送るように構成されたことを特徴とするスイッチング電源装置。
【請求項２】
上記複数のスイッチング電源部の全てに、スイッチングを機能させる手段を制御する制御部が備えられ、且つ、上記複数のスイッチング電源部の少なくとも一つの異常検出部から異常検出の信号を受けると、前記全てのスイッチング電源部の制御部に同時にスイッチング機能を停止させるための信号を送るように構成したことを特徴とする請求項１に記載のスイッチング電源装置。
【発明の詳細な説明】
【技術分野】
【０００１】
この発明は、半導体スイッチをＯＮ／ＯＦＦさせることによって所望する値の電圧や電流の電気を出力するスイッチング電源装置に関する。
特に、この発明は、予め設定した相異なる複数の電圧の電気を供給し、且つ、それらの電気の電圧又は／及び電流の少なくともいずれか一つが予め設定した範囲の値を超えた際に、その電気を供給する対象の部品・装置に支障が生じないことへの改良に関する。
【背景技術】
【０００２】
半導体スイッチをＯＮ／ＯＦＦさせることによって所望する値の電圧を供給するスイッチング電源装置及び供給する過電圧の電気に対して保護する手段については、以下の文献が知られている。
【０００３】
【特許文献１】特開平８−１６３８６６号公報
【特許文献２】特開平８−２５６４７４号公報
【発明の開示】
【発明が解決しようとする課題】
【０００４】
スイッチング電源装置において過電圧の電気に対して保護が機能するように構成するものとして、特許文献１で開示のスイッチング電源装置に特許文献２で開示の対過電圧保護手段の技術を組み合わせることによって、図２に示すスイッチング電源装置１ａに想到することができる。
スイッチング電源装置１ａは、相異なる複数の電圧の電気を供給するスイッチング電源部３ａ、４ａ及び５ａが備えられ、それらのスイッチング電源部の少なくともいずれか一つで異常が検出された際には、全てのスイッチング電源部が機能を停止する構成になっている。
【０００５】
つまり、図２に示すスイッチング電源装置１ａは、入力電力に対して相異なる電圧の電気を出力する三つのスイッチング電源部３ａ、４ａ及び５ａが備えられている。
スイッチング電源部３ａは、スイッチング部７ａと、トランス８ａと、制御部９ａと、平滑部１０ａと、異常検出部１１ａ及び出力端１２ａを備えて構成されている。
【０００６】
同様にして、スイッチング電源部４ａは、スイッチング部１３ａと、トランス１４ａと、制御部１５ａと、平滑部１６ａと、異常検出部１７ａ及び出力端１８ａを、スイッチング電源部５ａは、スイッチング部１９ａと、トランス２０ａと、制御部２１ａと、平滑部２２ａと、異常検出部２３ａ及び出力端２４ａをそれぞれ備えて構成されている。
【０００７】
ここで、スイッチング電源部３ａにおいて、トランス８ａは入力側において電力入力端２ａ及びスイッチング部７ａに接続され、出力側において平滑部１０ａに接続されている。
同様にして、スイッチング電源部４ａにおいて、トランス１４ａは入力側において電力入力端２ａ及びスイッチング部１３ａに、出力側において平滑部１６ａにそれぞれ接続され、スイッチング電源部５ａにおいて、トランス２０ａは入力側において電力入力端２ａ及びスイッチング部１９ａに、出力側において平滑部２２ａにそれぞれ接続されている。
【０００８】
スイッチング部７ａ、１３ａ及び１９ａはそれぞれ、トランジスタとアンプ（共に、図示省略）を備えて構成されている。
前記トランジスタは、各対応するトランスの入力側に接続され、前記アンプと共働してスイッチング作用によって各対応するトランスにエネルギーの蓄積を行うものである。
【０００９】
前記アンプは、各対応する異常検出部からの検出結果（電圧・電流のエラー検出）を示す信号を入力すると所定のレベルに増幅して、各対応する制御部に送るものである。
異常検出部１１ａは、トランス８ａからの電気に異常を検出するとその旨を制御部２１ａに、異常検出部１７ａは、トランス１４ａからの電気に異常を検出するとその旨を制御部２１ａに、異常検出部２３ａは、トランス２０ａからの電気に異常を検出するとその旨を制御部２１ａに、それぞれ送るものである。
【００１０】
制御部２１ａは、異常検出部１１ａから異常を検出した旨の信号を受けると、スイッチング部１９ａに制御信号を送って機能を停止させ、スイッチング部１９ａの機能停止によってトランス２０ａが出力を停止し、異常検出部２３ａがこのトランス２０ａからの出力の停止を異常と見なして検出して、異常検出の旨の信号を制御部９ａと制御部１５ａに送る。
ここで、制御部９ａ及び制御部１５ａは共に異常検出の旨の信号に基づき、それぞれスイッチング部７ａ及びスイッチング部１３ａの機能を停止させ、結果的に、トランス８ａ及びトランス１４ａからの電気の供給は停止する。
【００１１】
異常検出部１７ａがトランス１４ａからの電気に異常を検出した場合、及び、異常検出部２３ａがトランス２０ａからの電気に異常を検出した場合においても、制御部９ａ，１５ａ，２１ａが上述したと同様に機能し、結果的に、三つのスイッチング電源部３ａ、４ａ及び５ａのいずれか一つで供給する電気に異常が検出されると、全てのスイッチング電源部からの電気の供給が停止するように機能する構成になっている。
又、斯かる構成では、スイッチング電源部を所望する数だけ有する装置に構成することが可能であり、所望する数のスイッチング電源部を備えた構成のスイッチング電源装置においても、スイッチング電源部の少なくとも一つで供給する電気に異常が検出されると全てのスイッチング電源部からの電気の供給が停止するように機能する。
【００１２】
スイッチング電源装置１ａは、供給する電気の電圧が相異なる複数のスイッチング電源部を有していて、それら複数のスイッチング電源部の少なくともいずれか一つで供給する電気に異常が検出されると、全てのスイッチング電源部からの電気の供給が停止される。  このことによって、例えば予め設定した範囲を超える異常な電圧が発生しても装置全体の電気の供給が停止するので、電気を供給する対象の部品、ディバイス、装置等に異常な電気が供給されて支障が生じるといった問題を回避することが可能になっている。
【００１３】
しかし、上述した構成のスイッチング電源装置１ａでは、複数のスイッチング電源部の中の一つで供給対象の電気に異常を検出したことによって特定の一つのスイッチング電源部でスイッチング機能が停止し、この特定の一つのスイッチング電源部の機能の停止に基づいて残り全てのスイッチング電源部の機能が停止し、ここで、全てのスイッチング電源部の機能が停止して、スイッチング電源装置１ａの全ての電気の供給が停止するという構成になっている。
処が、スイッチング電源装置１ａから電気の供給を受ける部品、ディバイス、装置等の中には、供給される電気に異常があった際に、例えば、供給の電気が高電圧である場合などにおいては電気の供給を即刻停止する必要となるものがある。
【００１４】
殊に、スイッチング電源装置１ａから異常な電気の供給を受けるものが、例えばある種の半導体装置である場合には、この供給された異常な電気によって前記半導体装置の機能が全く停止はしないが所定通りには機能しなくなるという場合に、トラブルの原因が見付かり難く問題は一層深刻になる。
この発明は、上記の事情に鑑みてなされたものであり、相異なる電圧、電気を供給する複数のスイッチング電源部が備えられ、それら複数のスイッチング電源部の少なくとも一つにおいて異常な電気が供給されると、この異常な電気の供給に基づいて即刻前記複数のスイッチング電源部の全てからの電気の供給が停止し得るスイッチング電源装置を提供するものである。
【課題を解決するための手段】
【００１５】
この発明は、電圧が相異なる電気を供給する複数のスイッチング電源部のうちで少なくとも一つが異常な電気を供給すると、その異常を検出して異常判定部に伝え、その異常判定部が前記全てのスイッチング電源部に出力を停止するための制御信号を同時に送るように構成したスイッチング電源装置である。
その詳細な構成は、一次側電力入力部と、その一次側電力入力部にそれぞれ接続されて電力の供給を受け、スイッチング作用によって相異なる予め設定した電圧の電気を供給し、且つ、その供給する電気の電圧又は／及び電流が予め設定した範囲を超えて異常である場合にそのことを検出する異常検出部がそれぞれ備えられた複数のスイッチング電源部を有してなるスイッチング電源装置において、
上記複数のスイッチング電源部の異常検出部の少なくとも一つが、供給すべき電気の電圧又は／及び電流が予め設定した範囲を超えて異常であることが検出されると、その検出結果を受け取って、上記複数のスイッチング電源部の全てに電気の供給を停止するための制御信号を同時に送るように構成されたことを特徴とするスイッチング電源装置である。
【００１６】
尚、一つの異常検出の信号の入力に対し全ての制御部に同時に制御信号を送出する構成は具体的に、異常判定部６は、論理回路のＯＲゲートの機能が備えられ、入力側で異常検出の信号を入力し、この異常検出の信号を入力すると全ての制御部に同時に機能制御の制御信号を出力する異常判定部の機能構成が挙げられる。
又、制御部のスイッチング部への制御は、異常の検出が予め設定した電圧又は／及び電流の範囲を超えた場合であってこの状態を回避することで供給する電気に異常がなければよいことから、トランスからの電気の停止に加えて、供給する電気の電圧を制御することなども挙げられる。
【発明の効果】
【００１７】
複数のスイッチング電源部からの電気がうち少なくとも一つが予め設定した範囲の電圧又は／電流を超えて異常である旨が検出されると、全てのスイッチング電源部に同時に電気の供給を停止するための制御信号を送るように構成したことにより、複数のスイッチング電源部の中の特定のスイッチング電源部の電気の供給を停止させ、この電気の供給の停止に基づいて他の残り全てのスイッチング電源部からの電気の供給を停止させる場合に比べて、全てのスイッチ電源部からの電気の供給が短時間で停止させることが可能であり、従って、電気の供給を受ける部品、デバイス、装置等が異常な電気を供給されることによって生じる破損や不具合をより一層回避することが可能なスイッチング電源装置である。
【発明を実施するための最良の形態】
【００１８】
この発明を、図１に示す実施をするための最良の形態に基づき詳述する。しかし、これによって、この発明が限定されるものではない。
スイッチング電源装置１は、電力入力部２と、スイッチング電源部３，４，５と、異常判定部６が備えられている。
【００１９】
スイッチング電源部３，４，５はそれぞれ、電力入力部２からの電力の供給を受けて、予め設定した電流であって且つ相異なる電圧の電気を出力するものである。
電力入力部２は、ＡＣ電力を入力して交流電流を整流し且つ平滑して供給される電気を入力する端子である。
【００２０】
スイッチング電源部３は、スイッチング部７と、トランス８と、制御部９と、平滑部１０と、異常検出部１１と、出力端１２が備えられている。
トランス８は、入力側において電力入力部２及びスイッチング部７に接続され、出力側において平滑部１０が接続されている。
【００２１】
スイッチング部７は、トランス８の入力側に接続されてスイッチング作用によってトランス８にエネルギーの蓄積を行うためのトランジスタ（図示省略）を備えて構成されている。
制御部９は、平滑部１０から出力される電気の電圧が予め設定した値になるための制御及び平滑部１０からの電気の出力（電気の供給）を停止させるための制御を行うものである。
【００２２】
平滑部１０は、ダイオードとコンデンサ（共に図示省略）を備えて構成され、トランス８からの電気を整流し且つ平滑して出力するものである。
異常検出部１１は、平滑部１０からの直流の電気の電圧が予め設定した値の範囲外である場合に、つまり、例えば出力端１２から電気を供給する対象の回路、ディバイス、装置等にとってその電気の電圧が高過ぎて破損が生じると考えられる程に電圧に異常が生じたとされる場合に、供給対象の電気が異常であると見なして異常検出の信号を異常判定部６に送り、結果的に、平滑部１０からの直流の電気の出力を停止させるように機能するものである。
【００２３】
尚、ここで、異常判定部６は、上述したように、電気の異常の検出を行う異常検出部１１とスイッチング機能の制御を行う制御部９の間に介在されて、異常の判定を行って制御に繋がる機能を行うというものであって、詳しくは後述する。
スイッチング電源部４は、構成上及び機能上において、スイッチング電源部３と同じ内容となっている。
【００２４】
つまり、スイッチング電源部４は、スイッチング部１３と、トランス１４と、制御部１５と、平滑部１６と、異常検出部１７と、出力端１８が備えられている。
トランス１４は、入力側において電力入力部２及びスイッチング部１３に接続され、出力側において平滑部１６が接続されている。
【００２５】
スイッチング部１３は、トランス１４の入力側に接続されてスイッチング作用によってトランス１４にエネルギーの蓄積を行うためのトランジスタ（図示省略）を備えて構成されている。
制御部１５は、平滑部１６から出力される電気の電圧が予め設定した値になるための制御及び平滑部１６からの電気の出力（電気の供給）を停止させるための制御を行うものである。
【００２６】
平滑部１６は、ダイオードとコンデンサ（共に図示省略）を備えて構成され、トランス１４からの電気を整流し且つ平滑して出力するものである。
異常検出部１７は、平滑部１６からの直流の電気の電圧が予め設定した電圧の範囲外である場合に、つまり、電圧に異常が生じたと検出した場合に、異常検出信号を異常判定部６に送り、結果的に、トランス１４の出力側からの直流の電気の出力を停止させるためのものである。
【００２７】
スイッチング電源部５は、構成上及び機能上において、スイッチング電源部３と同じ内容となっている。
つまり、スイッチング電源部５は、スイッチング部１９と、トランス２０と、制御部２１と、平滑部２２と、異常検出部２３と、出力端２４が備えられている。
【００２８】
トランス２０は、入力側において電力入力部２及びスイッチング部１９に接続され、出力側において平滑部２２が接続されている。
スイッチング部１９は、トランス２０の入力側に接続されてスイッチング作用によってトランス２０にエネルギーの蓄積を行うためのトランジスタ（図示省略）を備えて構成されている。
【００２９】
制御部２１は、平滑部２２から出力される電気の電圧が予め設定した値になるための制御及び平滑部２２からの電気の出力（電気の供給）を停止させるための制御を行うもので
ある。
平滑部２２は、ダイオードとコンデンサ（共に図示省略）を備えて構成され、トランス２０からの電気を整流し且つ平滑して出力するものである。
【００３０】
異常検出部２３は、平滑部２２からの直流の電気の電圧が予め設定した電圧の範囲外である場合に、つまり、電圧に異常が生じたと検出した場合に、異常検出信号を異常判定部６に送り、結果的に、トランス２０の出力側からの直流の電気の出力を停止させるためのものである。
【００３１】
異常判定部６は、論理回路のＯＲゲートの機能が備えられ、異常検出部１１，１７，２３の後段に接続されて異常検出部１１，１７，２３において予め設定した電圧の範囲を超えて異常が検出された際に送られて来る異常検出の信号を受け取るものであって、異常検出部１１，１７，２３の少なくとも一つから異常検出の信号を受け取ると、制御部９へ、スイッチング電源部３のスイッチング機能を停止させて結果的にトランス８の出力側からの電気の供給を停止させるための制御信号を、制御部１５へ、スイッチング電源部４のスイッチング機能を停止させて結果的にトランス１４の出力側からの電気の供給を停止させるための制御信号を、及び、制御部２１へ、スイッチング電源部５のスイッチング機能を停止させて結果的にトランス２０の出力側からの電気の供給を停止させるための制御信号を、同時に出力するように構成されている。
【００３２】
以下において、スイッチング電源装置１の要部の機能を説明する。
ユーザーは、スイッチング電源部３，４，５からの電気を供給すべき対象の部品、ディバイス等をそれぞれ出力端１２，１８，２４に接続する。
続いて、電力入力部２に所定の電気が供給されるように電源側（図示省略）と接続し、スイッチング電源装置１を機能させる。
【００３３】
ここで、スイッチング電源部３ではスイッチング部７が機能して、結果的に、トランス８の出力側からの電気が平滑部１０に送られて整流と平滑が行われ、予め設定した電圧の電気が異常検出部１１を介して出力端１２に送られる。
従って、上述したように、出力端１２に予め設定した電圧の電気の供給を受けるように接続されている部品、ディバイス等は、異常検出部１１を介して送られて来る電気の供給を受ける。
【００３４】
同じように、スイッチング電源部４ではスイッチング部１３が機能し、結果的に、トランス１４の出力側から送られて平滑部１６と異常検出部１７を介して来た予め設定された電圧の電気が出力端１８に送られ、出力端１８に接続されている部品、ディバイス等はスイッチング電源部４からの予め設定された電圧の電気の供給を受ける。
又、スイッチング電源部５ではスイッチング部１９が機能し、結果的に、トランス２０の出力側から送られて平滑部２２と異常検出部２３を介して来た予め設定された電圧の電気が出力端２４に送られ、出力端２４に接続されている部品、ディバイス等はスイッチング電源部５からの予め設定された電圧の電気の供給を受ける。
【００３５】
このようにして、スイッチング電源装置１が予め設定された相異なる電圧の電気をスイッチング電源部３，４，５から供給している際に、何らかの原因によって、スイッチング電源部３において平滑部１０からの電圧が予め設定した値より十分に高くなることが生じたとする。
ここで、この予め設定した値より十分に高い電圧の電気とは、出力端１２に接続されている部品、ディバイス、装置等にとって破損や機能不良が生じるほどに高い電圧を意味する。
【００３６】
ここで、トランス８の出力側から電気が送られ、平滑部１０で整流と平滑が行われ、その電気が異常検出部１１に送られると、異常検出部１１は平滑部１０から送られて来る電気の電圧が予め設定された範囲より十分に高いので異常であると検出し、異常検出信号を異常判定部６に送る。
異常判定部６は、この異常検出信号を受け取ると、スイッチング電源部３の供給している電気に異常が生じていると判定し、制御部９，１５，２１に同時に対応するスイッチング機能を停止するための制御信号を送出する。
【００３７】
ここで、スイッチング電源部３において、制御部９は異常判定部６からの制御信号を受け取ると、スイッチング部７の機能を停止させ、トランス８の出力側から平滑部１０への電気の供給が停止させる。
よって、平滑部１０に電気が供給されないから、結果的に、出力端１２からそれに接続されている部品、ディバイス、装置等に電気の供給が停止され、それら部品、ディバイス、装置等に電気が供給されないから、予め設定した値より十分に高い電圧の電気の供給を受けて破損が生じるといった事態は生じない。
【００３８】
同様に、スイッチング電源部４において、制御部１５は異常判定部６からの制御信号を受け取ると、スイッチング部１３の機能を停止させ、トランス１４の出力側から平滑部１６への電気の供給が停止し、結果的に、出力端１８からそれに接続されている部品、ディバイス、装置等に電気の供給は行われない。
よって、出力端１８に接続されている部品、ディバイス、装置等は電気の供給を受けないから、予め設定した値より十分に高い電圧の電気の供給を受けて破損が生じるといった事態は生じない。
【００３９】
更に、スイッチング電源部５においても、制御部２１は異常判定部６からの制御信号を受け取ると、スイッチング部１９の機能を停止させ、トランス２０の出力側から平滑部２２への電気の供給が停止し、結果的に、出力端２４からそれに接続されている部品、ディバイス、装置等に電気の供給は行われない。
よって、同様に、出力端２４に接続されている部品、ディバイス、装置等は電気の供給を受けないから、予め設定した値より十分に高い電圧の電気の供給を受けて破損が生じるといった事態は生じない。
【００４０】
スイッチング電源装置１は、上述したように、異常判定部６から制御部９，１５，２１への制御信号は同時に送られるから、スイッチング電源部３，４，５は実質的に同時に電気の供給を停止することになる。
ここで、スイッチング電源装置１を、上記の背景技術で挙げた特許文献１及び特許文献２に基づいて考え得る図２に示すスイッチング電源装置１ａと比べると、三つのスイッチング電源部３，４，５（３ａ，４ａ，５ａ）の少なくともいずれか一つから異常検出の信号が送出されると、スイッチング電源部３，４，５（３ａ，４ａ，５ａ）に対してそれぞれ電気の供給の停止をさせるための制御信号が送出されることでは一致している。
【００４１】
しかしながら、スイッチング電源装置１では、異常判定部６が異常検出の信号を受けるとスイッチング電源部３，４，５に対して同時に電気の供給を停止するための制御信号を制御部９，１５，２１に送出する構成であるので、制御部９，１５，２１は共に実質的に同時に前記停止のための信号を受け取って停止のための機能を行う。
従って、結果的に、スイッチング電源部３の平滑部１０からの外部への電気の供給、スイッチング電源部４の平滑部１６からの外部への電気の供給及びスイッチング電源部５の平滑部２２からの外部への電気の供給は実質的に同時に停止され、スイッチング電源部３の出力端１２に接続されている回路、ディバイス、装置等、スイッチング電源部４の出力端１８に接続されている回路、ディバイス、装置等及スイッチング電源部５の出力端２４に接続されている回路、ディバイス、装置等は実質的に同時に電気の受け取りを停止する。
【００４２】
ここで、上記表現の「実質的に同時に」とは、異常判定部６から制御部９，１５，２１の接続線の長さ、制御部９，１５，２１の対応時間等に厳密には差異はあるが、信号の伝達に要する時間を考慮すると、同時と見なしても構わないということから要する時間が同じであるということを意味する。
他方、スイッチング電源装置１ａでは、異常検出信号を制御部２１ａが受けた後、更なるステップを経た後に、全てのスイッチング電源部３ａ，４ａ、５ａが電気の供給を停止する構成になっており、スイッチング電源部３ａ，４ａ、５ａに接続されている回路、ディバイス、装置等は、異常検出信号を制御部２１ａが受けた後、更なるステップを踏んだ後に電気の供給を停止する。
【００４３】
よって、スイッチング電源装置１から電気の供給を受ける回路、ディバイス、装置等は、
スイッチング電源装置１ａに比べて、上記の更なるステップを経る時間分だけ早い時機に電気の供給の受け取りを停止することになるので、その分、予め設定した範囲を超えた異常と見なされた電圧の電気の供給によって生じる破損等のトラブルが低く抑えられることになる。
スイッチング電源装置１は、三つのスイッチング電源部３，４，５を備えて構成されているが、スイッチング電源部は所望により二つ若しくは四つ以上であってもよい。
【００４４】
スイッチング電源装置１では三つのスイッチング電源部３，４，５から供給される電気の電圧は明示していないが、電源部３，４，５に接続され電気が供給される対象の回路、ディバイス、装置等が所望する値に設定するとよい。
スイッチング電源装置１の要部の機能では、三つのスイッチング電源部３，４，５のそれぞれの異常検出部１１，１７，２３は電気の電圧が予め設定した範囲を超える否かによって異常を検出しているが、検出の対象は電気の電流でもよく、又、電圧及び電流であってもよい。
【００４５】
スイッチング電源装置１の要部の機能では、三つのスイッチング電源部３，４，５のうちのいずれか一つで供給する電気の電圧が予め設定した範囲を超えることによって、異常判定部６が制御部９，１５，２１に同時に機能停止のための信号を送るように機能しているが、異常判定部６が上述したように論理回路のＯＲゲートのように機能するので、三つのスイッチング電源部３，４，５のうちのいずれか二つから、或いは、三つのスイッチング電源部３，４，５の全てから異常検出信号を受けると、制御部９，１５，２１に同時に機能停止のための信号を送るように機能する。
【００４６】
スイッチング電源装置１の要部の機能では、スイッチング電源部３，４，５のうちのいずれか一つで電気に異常を検出すると、異常判定部６が制御部９，１５，２１に同時に機能停止のための信号を送る構成になっているが、所望するスイッチング電源部からの電気を供給対象の回路、ディバイス、装置等にとって問題の生じない範囲の電圧の電気に制御する構成であってもよい。
斯かる構成によって、電気の供給を突然に停止することによる問題を回避することが可能になる。
【図面の簡単な説明】
【００４７】
【図１】本発明に係る最良の形態の構成を説明するブロック図である。
【図２】本発明に対して従来の技術に対応する図１相当図である。
【符号の説明】
【００４８】
１：                    スイッチ電源装置
３，４，５：            スイッチ電源部
６：                    異常判定部
７，１３，１９：        スイッチング部
８，１４，２０：        トランス
９，１５，２１：        制御部
１０，１６，２２：      平滑部
１１，１７，２３：      送信部
【図１】
2009065807.tif 000003
【図２】
2009065807.tif 000004